(57)【要約】      （修正有）【課題】ネットワークの接続状況に応じて、表示させる番組リストを変更させる情報端末、システム、方法及びプログラムを提供する。【解決手段】情報端末１００は、録画装置に記録された番組であって持ち出し用コンテンツ及び持ち出し用コンテンツより容量の大きい配信用コンテンツを、ネットワークを介して受信し再生する。情報端末は、ネットワークの接続状況が宅外からの接続である場合には、持ち出し用コンテンツを含み、配信用コンテンツを含まない番組リストを表示部に表示させる表示制御部を備える。【選択図】図１
2020198566.tif 000002
【特許請求の範囲】
【請求項１】
録画装置に記録された番組であって持ち出し用コンテンツ及び前記持ち出し用コンテンツより容量の大きい配信用コンテンツを、ネットワークを介して受信し再生することが可能な情報端末であって、
前記ネットワークの接続状況が宅外からの接続である場合には、前記持ち出し用コンテンツを含み、前記配信用コンテンツを含まない番組リストを表示部に表示させる表示制御部を備える、
情報端末。
【請求項２】
前記ネットワークの接続状況が宅内からの接続か宅外からの接続かを判定する判定部を備える、
請求項１に記載の情報端末。
【請求項３】
前記ネットワークに接続時のＩＰアドレスを取得するアドレス取得部を備え、
前記判定部は、
前記ＩＰアドレスがプライベートＩＰアドレスであれば宅内からの接続であると判定し、
前記ＩＰアドレスがプライベートＩＰアドレスでなければ宅外からの接続であると判定する、
請求項２に記載の情報端末。
【請求項４】
前記表示制御部は、
前記番組リストを日付の新しい順に前記表示部に表示させる、
請求項１乃至請求項３のいずれか１項に記載の情報端末。
【請求項５】
ユーザによる視聴モードの設定を受け付ける視聴モード設定部を備え、
前記表示制御部は、
第１の視聴モードが設定されている場合であって、前記ネットワークの接続状況が宅内からの接続である場合には、前記持ち出し用コンテンツと前記配信用コンテンツとを含む番組リストを前記表示部に表示させ、
前記第１の視聴モードが設定されている場合であって、前記ネットワークの接続状況が宅外からの接続である場合には、前記持ち出し用コンテンツを含み、前記配信用コンテンツを含まない番組リストを前記表示部に表示させ、
第２の視聴モードが設定されている場合には、前記ネットワークの接続状況が宅外からの接続であったとしても、前記持ち出し用コンテンツと前記配信用コンテンツとを含む番組リストを前記表示部に表示させる、
請求項１乃至請求項４のいずれか１項に記載の情報端末。
【請求項６】
ユーザによる所定のネットワークのＳＳＩＤを含む情報の登録を受け付ける登録部と、
前記ネットワークに接続時の接続先ネットワークのＳＳＩＤを取得する接続先ネットワーク取得部と、を備え、
前記判定部は、
前記接続先ネットワークが登録されたネットワークのＳＳＩＤであれば宅内からの接続であると判定し、
前記接続先ネットワークが未登録のネットワークのＳＳＩＤであれば宅外からの接続であると判定する、
請求項２に記載の情報端末。
【請求項７】
ユーザによる公衆回線モードの設定を受け付ける公衆回線モード設定部を備え、
前記判定部は、
第１の公衆回線モードが設定されている場合には、前記ネットワークの接続状況が宅内からの接続であると判定し、
第２の公衆回線モードが設定されている場合には、前記ネットワークの接続状況が宅外からの接続であると判定し、
第３の公衆回線モードが設定されている場合には、前記接続先ネットワークのＳＳＩＤに基づき、前記ネットワークの接続状況が宅内からの接続か宅外からの接続かを判定する、
請求項６に記載の情報端末。
【請求項８】
前記表示制御部は、
前記持ち出し用コンテンツと前記配信用コンテンツとを区別可能に前記番組リストを表示させる、
請求項１乃至請求項７のいずれか１項に記載の情報端末。
【請求項９】
前記表示制御部は、
所定の条件下で前記配信用コンテンツを含む番組リストを前記表示部に表示させ、
前記番組リスト内の前記持ち出し用コンテンツを示す情報および前記配信用コンテンツを示す情報の少なくともいずれかに、前記持ち出し用コンテンツと前記配信用コンテンツとを区別可能な表示を付する、
請求項８に記載の情報端末。
【請求項１０】
前記表示は、文字情報、記号、及び前記情報を強調する表示の少なくともいずれかである、
請求項９に記載の情報端末。
【請求項１１】
前記情報を強調する表示は、前記情報の色変更、前記情報の表示領域の色変更、及び前記情報の表示領域の拡大の少なくともいずれかである、
請求項１０に記載の情報端末。
【請求項１２】
前記録画装置は、
前記配信用コンテンツから前記持ち出し用コンテンツを生成可能であり、
前記表示制御部は、
前記持ち出し用コンテンツの生成の予約を受け付ける表示を前記表示部に表示する、
請求項１乃至請求項１１のいずれか１項に記載の情報端末。
【請求項１３】
前記表示制御部は、
前記配信用コンテンツを再生中に前記表示を前記表示部に表示する、
請求項１２に記載の情報端末。
【請求項１４】
前記録画装置は、
前記配信用コンテンツから前記持ち出し用コンテンツを生成可能であり、
前記表示制御部は、
所定の条件下で前記持ち出し用コンテンツ及び前記配信用コンテンツを含む番組リストを前記表示部に表示させ、同一の番組について前記配信用コンテンツと前記持ち出し用コンテンツとが存在する場合には、前記同一の番組についての前記持ち出し用コンテンツを優先させた番組リストを前記表示部に表示させる、
請求項１乃至請求項１３のいずれか１項に記載の情報端末。
【請求項１５】
前記表示制御部は、
前記同一の番組について前記配信用コンテンツと前記持ち出し用コンテンツとが存在する場合に、前記同一の番組についての前記持ち出し用コンテンツを前記番組リストの上位に配置して前記表示部に表示させる、
請求項１４に記載の情報端末。
【請求項１６】
番組を記録する録画装置と、
前記番組を、ネットワークを介して受信可能な情報端末と、を備え、
前記録画装置は、
前記番組を、持ち出し用コンテンツ及び前記持ち出し用コンテンツより容量の大きい配信用コンテンツのいずれとしても記録可能であり、
前記情報端末は、
前記持ち出し用コンテンツ及び前記配信用コンテンツを、ネットワークを介して受信可能な通信制御部と、
前記ネットワークの接続状況が宅外からの接続である場合には、前記持ち出し用コンテンツを含み、前記配信用コンテンツを含まない番組リストを表示部に表示させる表示制御部と、を有する、
システム。
【請求項１７】
録画装置に記録された番組であって持ち出し用コンテンツ及び前記持ち出し用コンテンツより容量の大きい配信用コンテンツを、ネットワークを介して受信し再生することが可能な情報端末で実施される方法であって、
前記ネットワークの接続状況が宅外からの接続である場合には、前記持ち出し用コンテンツを含み、前記配信用コンテンツを含まない番組リストを表示部に表示する、
方法。
【請求項１８】
録画装置に記録された番組であって持ち出し用コンテンツ及び前記持ち出し用コンテンツより容量の大きい配信用コンテンツを、ネットワークを介して受信し再生することが可能な情報端末を制御するコンピュータに、
前記ネットワークの接続状況が宅外からの接続である場合には、前記持ち出し用コンテンツを含み、前記配信用コンテンツを含まない番組リストを表示部に表示する処理を実行させる、
プログラム。
【発明の詳細な説明】
【技術分野】
【０００１】
本発明の実施形態は、情報端末、システム、方法、及びプログラムに関する。
【背景技術】
【０００２】
録画装置に記録された番組をスマートフォン等の他の情報端末で視聴する技術がある。情報端末で番組を視聴する場合には、録画装置からネットワークを介して取得した最新の番組リストを表示させ、所望の番組を選択して再生させる。
【先行技術文献】
【特許文献】
【０００３】
【特許文献１】特開２００７−２４３３０２号公報
【特許文献２】特開２００７−２５８９９１号公報
【発明の概要】
【発明が解決しようとする課題】
【０００４】
しかしながら、ネットワークの接続状況によっては、番組リストの取得および番組の再生に時間を要してしまう場合がある。
【０００５】
本発明が解決しようとする課題は、ネットワークの接続状況に応じて、表示させる番組リストを変更させることができる情報端末、システム、方法、及びプログラムを提供することにある。
【課題を解決するための手段】
【０００６】
実施形態の情報端末は、録画装置に記録された番組であって持ち出し用コンテンツ及び前記持ち出し用コンテンツより容量の大きい配信用コンテンツを、ネットワークを介して受信し再生することが可能な情報端末であって、前記ネットワークの接続状況が宅外からの接続である場合には、前記持ち出し用コンテンツを含み、前記配信用コンテンツを含まない番組リストを表示部に表示させる表示制御部を備える。
【図面の簡単な説明】
【０００７】
【図１】図１は、実施形態１にかかるシステムのネットワーク構成の一例を示す図である。
【図２】図２は、実施形態１にかかる情報端末の構成の一例を示すブロック図である。
【図３】図３は、実施形態１にかかるテレビジョン装置の構成の一例を示すブロック図である。
【図４】図４は、実施形態１にかかるプログラムの機能構成の一例を示すブロック図である。
【図５】図５は、実施形態１にかかる情報端末における番組リストの表示例を示す模式図である。
【図６】図６は、実施形態１にかかる情報端末における番組リストの表示処理の手順の一例を示すフロー図である。
【図７】図７は、実施形態１の変形例１にかかる情報端末における番組リストの表示例を示す模式図である。
【図８】図８は、実施形態１の変形例１にかかる情報端末における番組リストの表示処理の手順の一例を示すフロー図である。
【図９】図９は、実施形態１の変形例２にかかる情報端末における番組再生時の表示例を示す模式図である。
【図１０】図１０は、実施形態２にかかるプログラムの機能構成の一例を示すブロック図である。
【図１１】図１１は、実施形態２の情報端末における公衆回線テーブルの表示例を示す模式図である。
【図１２】図１２は、実施形態２にかかる情報端末における番組リストの表示例を示す模式図である。
【図１３】図１３は、実施形態２にかかる情報端末における番組リストの表示処理の手順の一例を示すフロー図である。
【発明を実施するための形態】
【０００８】
［実施形態１］
以下、図面を参照して、実施形態１について詳細に説明する。
【０００９】
（システムの構成例）
図１は、実施形態１にかかるシステムのネットワーク構成の一例を示す図である。図１に示すように、実施形態１のシステムは、情報端末１００、テレビジョン装置２００、及び中継装置４００を備える。
【００１０】
情報端末１００は、例えばスマートフォンまたはタブレット型端末等の携帯情報端末、ノートＰＣ（Ｐｅｒｓｏｎａｌ  Ｃｏｍｐｕｔｅｒ）等のコンピュータである。ただし、情報端末１００は上記の例に限られず、ネットワークへの接続機能と、後述のテレビジョン装置２００により録画された番組の再生機能とを有していれば他の電子機器であってもよい。
【００１１】
テレビジョン装置２００では、例えば放送局からの放送信号を受信することにより、各種の番組を視聴することができる。また、テレビジョン装置２００は、受信した番組の録画機能を有する。
【００１２】
中継装置４００は、情報端末１００及びテレビジョン装置２００との通信を中継するルータまたはハブ等である。中継装置４００は、テレビジョン装置２００及びインターネットと有線または無線で接続されている。
【００１３】
テレビジョン装置２００が設置された宅内に情報端末１００があるときは、情報端末１００とテレビジョン装置２００とは中継装置４００を介してネットワーク通信を行う。この場合のネットワークは、例えばＤＬＮＡ（登録商標）（Ｄｉｇｉｔａｌ  Ｌｉｖｉｎｇ  Ｎｅｔｗｏｒｋ  Ａｌｌｉａｎｃｅ）に基づくホームネットワークや家庭内ＬＡＮ（Ｌｏｃａｌ  Ａｒｅａ  Ｎｅｔｗｏｒｋ）等である。
【００１４】
宅外に情報端末１００があるときは、情報端末１００とテレビジョン装置２００とは、中継装置４００、インターネット３０１、及び無線ＬＡＮ３０２を介して、ネットワーク通信を行う。無線ＬＡＮ３０２は、公衆無線ＬＡＮ３０２ａ及びスマートフォン等のキャリアが提供するキャリア提供無線ＬＡＮ３０２ｂ等である。これ以降、これらの無線ＬＡＮ３０２をＷｉＦｉなどと呼ぶことがある。
【００１５】
（情報端末の構成例）
次に、図２を用いて、実施形態１の情報端末１００の構成例について説明する。図２は、実施形態１にかかる情報端末１００の構成の一例を示すブロック図である。
【００１６】
図２に示すように、情報端末１００は、通信Ｉ／Ｆ（Ｉｎｔｅｒ  Ｆａｃｅ）１０１、音声入力部１０２、センサ群１０３、表示部１０４、グラフィックコントローラ１０５、タッチパネルコントローラ１０６、ＣＰＵ（Ｃｅｎｔｒａｌ  Ｐｒｏｃｅｓｓｉｎｇ  Ｕｎｉｔ）１０７、及びメモリ１０８を備える。情報端末１００は、上記の他にカメラやスピーカなどを備えていてもよい。
【００１７】
通信Ｉ／Ｆ１０１は、テレビジョン装置２００等の他の機器との間の通信に用いられる。音声入力部１０２は、マイクロフォン等の音声入力デバイスであり、ユーザによる音声入力を受け付ける。
【００１８】
センサ群１０３は、加速度センサ、方位センサ、及びジャイロセンサ等の少なくともいずれか１つのセンサデバイスを含む。加速度センサは、情報端末１００が移動された場合に情報端末１００の加速度の向きおよび大きさを検出する。方位センサは、情報端末１００の方位を検出する。ジャイロセンサは、情報端末１００が回転された場合に情報端末１００の角速度を検出する。
【００１９】
表示部１０４は、例えば、ディスプレイ１０４ａとタッチパネル１０４ｂとを組み合わせた、いわゆるタッチスクリーンデバイスである。ディスプレイ１０４ａは、たとえば、ＬＣＤ（Ｌｉｑｕｉｄ  Ｃｒｙｓｔａｌ  Ｄｉｓｐｌａｙ）または有機ＥＬ（Ｅｌｅｃｔｒｏ  Ｌｕｍｉｎｅｓｃｅｎｃｅ）ディスプレイ等である。タッチパネル１０４ｂは、ユーザの指またはスタイラス等によってタッチされたディスプレイ１０４ａの表示画面上のタッチ位置を検知する。
【００２０】
グラフィックコントローラ１０５は、表示部１０４のディスプレイ１０４ａを制御する。タッチパネルコントローラ１０６は、表示部１０４のタッチパネル１０４ｂを制御し、ユーザがタッチした表示画面上のタッチ位置を示す座標データをタッチパネル１０４ｂから取得する。
【００２１】
ＣＰＵ１０７は、各種コンピュータプログラムを実行することにより、情報端末１００の各コンポーネントを制御する。メモリ１０８は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等を備え、ＣＰＵ１０７による各種演算処理に用いられる各種コンピュータプログラム及び各種データなどを記憶する。
【００２２】
（テレビジョン装置の構成例）
次に、図３を用いて、実施形態１のテレビジョン装置２００の構成例について説明する。図３は、実施形態１にかかるテレビジョン装置２００の構成の一例を示すブロック図である。
【００２３】
図３に示すように、テレビジョン装置２００は、入力端子２０２、チューナ２０３ａ〜２０３ｇ、信号処理部２０７、グラフィック処理部２０８、音声処理部２０９、ＯＳＤ（Ｏｎ  Ｓｃｒｅｅｎ  Ｄｉｓｐｌａｙ）信号生成部２１０、及び映像処理部２１１を備える。
【００２４】
入力端子２０２には、地上放送受信アンテナ２１３で受信した地上デジタル放送信号が入力される。地上デジタル放送信号は、入力端子２０２を介してチューナ２０３ａ〜２０３ｇに供給される。
【００２５】
チューナ２０３ａ〜２０３ｇは、地上デジタル放送用のチューナであって、入力端子２０２から供給される地上デジタル放送信号から、後述する制御部２１６から指示されたチャンネルの放送信号を選局する。
【００２６】
ただし、テレビジョン装置２００は、ＢＳ／ＣＳデジタル放送受信アンテナで受信した衛星デジタル放送信号が入力される入力端子を有していてもよい。衛星デジタル放送信号は、かかる入力端子を介して衛星デジタル放送用のチューナに供給される。
【００２７】
信号処理部２０７は、チューナ２０３ａ〜２０３ｇから供給される放送信号から、デジタルの映像信号および音声信号を含む放送信号を復調する。また、信号処理部２０７は、デジタル放送信号が含む映像信号に対して、選択的に所定のデジタル信号処理を施してグラフィック処理部２０８に出力する。また、信号処理部２０７は、デジタル放送信号が含む音声信号に対して、選択的に所望のデジタル信号処理を施して音声処理部２０９に出力する。
【００２８】
信号処理部２０７には、複数の外部入力端子２１４ａ〜２１４ｄが接続されている。これらの外部入力端子２１４ａ〜２１４ｄは、外部装置の一例としてのＤＶＤ（Ｄｉｇｉｔａｌ  Ｖｅｒｓａｔｉｌｅ  Ｄｉｓｋ）レコーダなどから、アナログの映像信号および音声信号が入力可能である。信号処理部２０７は、外部入力端子２１４ａ〜２１４ｄから入力されたアナログの映像信号および音声信号をデジタル化する。また、信号処理部２０７は、デジタル化した映像信号に対して所定のデジタル信号処理を施してグラフィック処理部２０８に出力する。また、信号処理部２０７は、デジタル化した音声信号に対して所定のデジタル信号処理を施して音声処理部２０９に出力する。
【００２９】
グラフィック処理部２０８は、信号処理部２０７から供給されるデジタルの映像信号に対して、ＯＳＤ信号生成部２１０で生成されるＯＳＤ信号を重畳して映像処理部２１１に出力する。グラフィック処理部２０８は、信号処理部２０７から供給されるデジタルの映像信号およびＯＳＤ信号生成部２１０で生成されるＯＳＤ信号のいずれか一方を映像処理部２１１に出力することも可能である。
【００３０】
映像処理部２１１は、グラフィック処理部２０８から入力されるデジタルの映像信号またはＯＳＤ信号を、映像表示部２３３の表示画面において表示可能なフォーマットのアナログの映像信号またはＯＳＤ信号に変換して、映像表示部２３３に出力する。映像表示部２３３は、例えば、ＬＣＤまたは有機ＥＬディスプレイ等である。
【００３１】
音声処理部２０９は、信号処理部２０７から入力されるデジタルの音声信号を、スピーカ２１５で再生可能なフォーマットのアナログの音声信号に変換して、スピーカ２１５に出力する。
【００３２】
テレビジョン装置２００は、さらに、制御部２１６、カードホルダ２１７、各種インターフェース２１８〜２２１、及び明るさセンサ２３０を備える。制御部２１６は、ＣＰＵ２１６ａ、ＲＯＭ２１６ｂ、ＲＡＭ２１６ｃ、及び不揮発性メモリ２１６ｄを備える。
【００３３】
制御部２１６は、地上デジタル放送信号および衛星デジタル放送信号等の放送信号の受信動作などのテレビジョン装置２００の各種動作を統括的に制御する。また、制御部２１６は、操作部２２２からの操作情報、または受光部２２３を介してリモートコントローラ２２４から入力された操作情報に従って、テレビジョン装置２００の各部を制御する。
【００３４】
ＣＰＵ２１６ａは、ＲＯＭ２１６ｂに記憶されているプログラムを実行することにより、テレビジョン装置２００全体の動作を制御する。ＲＯＭ２１６ｂは、主としてＣＰＵ２１６ａが実行するプログラムを記憶している。ＲＡＭ２１６ｃは、ＣＰＵ２１６ａがプログラムを実行する際に作業エリアを提供する。不揮発性メモリ２１６ｄは、テレビジョン装置２００の各種の設定情報および制御情報等を記憶している。
【００３５】
制御部２１６は、カードＩ／Ｆ２２５を介して、メモリカード２３４が着脱可能なカードホルダ２１７に接続されている。これにより、制御部２１６は、カードＩ／Ｆ２２５を介して、カードホルダ２１７に装着されたメモリカード２３４との間で各種情報をやりとりすることができる。
【００３６】
制御部２１６は、通信Ｉ／Ｆ２１８を介してＬＡＮ端子２２６に接続されている。これにより、制御部２１６は、通信Ｉ／Ｆ２１８を介して、ＬＡＮ端子２２６に接続された上述の中継装置４００やＬＡＮ対応ＨＤＤ（Ｈａｒｄ  Ｄｉｓｋ  Ｄｒｉｖｅ）等の外部装置と各種情報をやりとりすることができる。ただし、通信Ｉ／Ｆ２１８が、中継装置４００等の外部装置と無線で接続可能に構成されていてもよい。
【００３７】
制御部２１６は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）  Ｉ／Ｆ２２１を介してＨＤＭＩ端子２２７に接続されている。これにより、制御部２１６は、ＨＤＭＩ  Ｉ／Ｆ２２１を介して、ＨＤＭＩ端子２２７に接続されている外部装置と各種情報をやりとりすることができる。
【００３８】
制御部２１６は、ＵＳＢ（Ｕｎｉｖｅｒｓａｌ  Ｓｅｒｉａｌ  Ｂｕｓ）  Ｉ／Ｆ２１９を介して、ＵＳＢ端子２２８に接続されている。これにより、制御部２１６は、ＵＳＢ  Ｉ／Ｆ２１９を介して、ＵＳＢ端子２２８に接続されたＵＳＢ  ＨＤＤ等を備えるストレージ装置２００ａと各種情報をやりとりすることができる。
【００３９】
ストレージ装置２００ａは、例えばＨＤＤやＳＳＤ（Ｓｏｌｉｄ  Ｓｔａｔｅ  Ｄｒｉｖｅ）などを備え、テレビジョン装置２００が受信したデジタル信号を録画データとして記録するように構成されている。ただし、ストレージ装置２００ａはテレビジョン装置２００に内蔵されていてもよい。
【００４０】
このように、ストレージ装置２００ａを含むテレビジョン装置２００は録画装置として構成される。ただし、録画装置はテレビジョン装置２００に限られず、放送信号の受信機能および番組の録画機能を有していれば他の記録装置であってもよい。
【００４１】
ここで、テレビジョン装置２００は、録画データにおけるビットレートを調整し、持ち出し用コンテンツ及び配信用コンテンツの少なくともいずれかのコンテンツとして番組を録画することが可能である。
【００４２】
持ち出し用コンテンツは、低ビットレートで録画された比較的容量の小さいコンテンツである。持ち出し用コンテンツは、例えば情報端末１００等の外部装置に保存してテレビジョン装置２００外へと持ち出すことが可能である。持ち出し用コンテンツの情報端末１００等への持ち出しは、ホームネットワークを介して行われることが好ましい。また、持ち出し用コンテンツは、情報端末１００等で視聴した際、ユーザに画質や音質の劣化を感じさせない程度にダウンサイジングされていることが好ましい。
【００４３】
配信用コンテンツは高ビットレートで録画された、持ち出し用コンテンツより容量の大きいコンテンツである。配信用コンテンツは、情報端末１００等による持ち出しには不向きであるが、例えばネットワークに接続された情報端末１００においてストリーミング配信等による視聴が可能である。テレビジョン装置２００は、配信用コンテンツをダウンサイジングして持ち出し用コンテンツを生成することもできる。これにより、ストレージ装置２００ａ内には、１つの番組について、配信用コンテンツ及び持ち出し用コンテンツの２つの録画データが記録されることとなる。
【００４４】
ストレージ装置２００ａに記録された持ち出し用コンテンツ及び配信用コンテンツは、テレビジョン装置２００の制御部２１６により番組リストとしてリスト化され、例えばストレージ装置２００ａに格納されている。
【００４５】
ユーザは、例えば操作部２２２やリモートコントローラ２２４を介して、所定の番組を持ち出し用コンテンツまたは配信用コンテンツのいずれのコンテンツとして録画するかを指定し、また、配信用コンテンツからの持ち出し用コンテンツの生成を指示することができる。
【００４６】
また、テレビジョン装置２００に録画された番組を情報端末１００で視聴するには、例えば以下の３通りの手法がある。１つめは、持ち出し用コンテンツとして録画または生成された番組を、予め情報端末１００に保存しておく手法である。ユーザは、ネットワークの接続状況に左右されることなく、持ち出し済みのコンテンツを情報端末１００で視聴することができる。２つめは、持ち出し用コンテンツとして録画または生成された番組を持ち出すことなく、ネットワークに接続された情報端末１００に配信させ視聴する手法である。３つめは、配信用コンテンツとして録画された番組を、ネットワークに接続された情報端末１００に配信させ視聴する手法である。
【００４７】
なお、これ以降、情報端末１００に保存され持ち出されたコンテンツを持ち出し済みコンテンツと呼び、テレビジョン装置２００が有するストレージ装置２００ａ内に記録された小容量のコンテンツを持ち出し用コンテンツと呼んで、両者を区別することがある。
【００４８】
情報端末１００等における上記のような録画番組の視聴は、例えば情報端末１００のＣＰＵ１０７が録画番組視聴用のプログラムを実行することにより実現される。
【００４９】
（プログラムの機能構成例）
次に、図４を用いて、情報端末１００において実行されるプログラム５００の機能構成例について説明する。図４は、実施形態１にかかるプログラム５００の機能構成の一例を示すブロック図である。
【００５０】
図４に示すように、プログラム５００は、入力制御部５０１、通信制御部５０２、アドレス取得部５０３、判定部５０４、リスト管理部５０５、表示制御部５０６、及び記憶部５０７を備える。これらのモジュールは、例えば情報端末１００がプログラム５００を実行した結果として生成される。
【００５１】
入力制御部５０１は、情報端末１００の音声入力部１０２やタッチパネル１０４ｂを介したユーザの入力操作を受け付ける。ユーザの入力操作としては、例えば録画された番組を視聴するために番組リストを表示させる操作等がある。
【００５２】
通信制御部５０２は、情報端末１００の通信Ｉ／Ｆ１０１を介したネットワーク通信を制御する。上述のように、ネットワーク通信には、中継装置４００を介した宅内におけるテレビジョン装置２００との有線または無線による通信、および宅外における公衆無線ＬＡＮ３０２ａまたはキャリア提供無線ＬＡＮ３０２ｂ等による通信がある。
【００５３】
ここで、宅内とは、上述したように、主にテレビジョン装置２００が設置された場所を指しており、ホームネットワークや家庭内ＬＡＮ等を利用した、専ら良好な接続状況が得られる環境を意味している。したがって、宅内とは、テレビジョン装置２００のユーザの自宅に限られず、例えば、企業内、事業所内、研究機関内、その他の施設内、自宅以外の私人宅内等を含む。また、宅外とは、例えば上記に挙げた以外の場所を指し、通信手段が専ら無線による等のために、宅内のような良好な接続状況が得られ難い環境を意味している。
【００５４】
アドレス取得部５０３は、情報端末１００がネットワークに接続している際のＩＰアドレスを通信制御部５０２から取得する。ＩＰアドレスには、「１０．０．」「１７２．１６．」「１９２．１６８．」のいずれかから始まるプライベートＩＰアドレスと、それ以外のグローバルＩＰアドレスとがある。
【００５５】
判定部５０４は、アドレス取得部５０３の取得結果から、ＩＰアドレスがプライベートＩＰアドレスであるか、グローバルＩＰアドレスであるかを判定する。判定部５０４は、ＩＰアドレスがプライベートＩＰアドレスである場合には、ネットワークの接続状況が宅内からの接続であると判定する。判定部５０４は、ＩＰアドレスがグローバルＩＰアドレスである場合には、ネットワークの接続状況が宅外からの接続であると判定する。
【００５６】
リスト管理部５０５は、情報端末１００に持ち出された持ち出し済みコンテンツに関する番組リストを管理する。情報端末１００に新たな番組が持ち出されたときは、リスト管理部５０５は、新たに持ち出された番組に関する情報を番組リストに追加する。また、リスト管理部５０５は、ネットワーク接続時にユーザからの番組リスト表示の指示があったときには、テレビジョン装置２００が有する番組リストを取得し、自身の管理する持ち出し済みコンテンツについての番組リストと統合して最新の番組リストを生成する。上述のように、テレビジョン装置２００が有する番組リストは、ストレージ装置２００ａに記録されている番組に関する情報がリスト化されたものある。
【００５７】
表示制御部５０６は、情報端末１００の表示部１０４への映像出力を制御する。例えば、表示制御部５０６は、ユーザからの番組リスト表示の指示があったときには、リスト管理部５０５が管理する持ち出し済みコンテンツの番組リストまたはテレビジョン装置２００の番組リストと統合された最新の番組リスト等を表示部１０４に表示させる。
【００５８】
記憶部５０７には、情報端末１００に持ち出された持ち出し済みコンテンツとともに、持ち出し済みコンテンツの番組リストが格納されている。
【００５９】
なお、プログラム５００は、インストール可能な形式または実行可能な形式のコンピュータプログラムプロダクトとして提供される。すなわち、プログラム５００は、ＣＤ−ＲＯＭ、フレキシブルディスク（ＦＤ）、ＣＤ−Ｒ、ＤＶＤなどの、非一時的で、コンピュータで読み取り可能な記録媒体を有するコンピュータプログラムプロダクトに含まれた状態で提供される。
【００６０】
また、プログラム５００は、インターネットなどのネットワークに接続されたコンピュータに格納された状態で、ネットワーク経由で提供または配布されてもよい。プログラム５００は、ＲＯＭなどに予め組み込まれた状態で提供されてもよい。
【００６１】
このようなプログラム５００を情報端末１００にインストールすることにより、情報端末１００のＣＰＵ１０７がメモリ１０８のＲＯＭからプログラム５００を読み出して、メモリ１０８のＲＡＭ上に上記の各モジュールが展開される。
【００６２】
ただし、プログラム５００はクラウドサーバ等に格納されたウェブアプリケーションとして提供されてもよく、この場合、プログラム５００は情報端末１００にインストールされることなく実行される。または、プログラム５００をテレビジョン装置２００にインストールし、テレビジョン装置２００にプログラム５００を実行させてもよい。情報端末１００は、ネットワークを介して、テレビジョン装置２００におけるプログラム５００の処理結果を受け取る。
【００６３】
（番組リストの表示例）
上述のように、例えばユーザからの番組リスト表示の指示を受けると、表示制御部５０６はリスト管理部５０５から取得した番組リストを表示部１０４に表示させる。
【００６４】
図５は、実施形態１にかかる情報端末１００における番組リストの表示例を示す模式図である。ただし、図５はあくまで一例であって、番組リストの表示例は図５の例に限られない。
【００６５】
図５に示すように、例えば表示部１０４の中央等の見やすい位置に番組リストが表示されている。番組リストには、例えば各番組のタイトル、テレビ局（チャンネル）、放送日時、放送時間等の各番組に関する情報が含まれ、各番組は例えば日付の新しい順に表示される。番組リスト内に番組内容を示すサムネイルが表示されてもよい。
【００６６】
また、番組リストは、各番組が持ち出し用コンテンツであるか配信用コンテンツであるかを区別可能に表示される。図５の例では、持ち出し用コンテンツには、例えば「持出」の文字情報が付与されている。「持出」の文字情報が付与されたコンテンツには、持ち出し済みコンテンツが含まれていてもよい。ただし、持ち出し用コンテンツと持ち出し済みコンテンツとを区別する表示が更になされてもよい。また、持ち出し用コンテンツではなく配信用コンテンツの方に、例えば「配信」等の文字情報が付与されてもよい。また、持ち出し用コンテンツには「持出」の文字情報が付与され、配信用コンテンツには「配信」の文字情報が付与されてもよい。
【００６７】
また、持ち出し用コンテンツ及び配信用コンテンツの各コンテンツを区別可能な表示は文字情報に限られず、少なくとも一方のコンテンツに何らかの記号や図柄が付与されてもよい。また、それぞれのコンテンツの番組情報が異なる色で表示されるようにしてもよく、または、番組情報の背景が異なる色で表示されるようにしてもよい。また、いずれか一方のコンテンツの表示枠を拡大したり、番組情報を太字や斜体で表示させたりするなどして強調することで両者を区別可能に表示してもよい。これらの１つまたは複数の表示形態をユーザが選択できるように構成されていてもよい。
【００６８】
番組リストを表示させる際には、番組リストに加えてネットワークの接続状況等の他の情報を表示させるようにしてもよい。図５の例では、番組リストの上方に、「宅内」または「宅外」の文字情報が表示されている。ただし、ネットワークの接続状況の表示位置はこれに限られない。また、接続状況を示す表示は文字情報に限らず、「宅内」または「宅外」を示す何らかの記号や図柄であってもよい。
【００６９】
また、「宅内」または「宅外」の表示に加えて、より詳細のネットワーク接続状況を表示させてもよい。図５の例では、表示部１０４の左上に接続状況の詳細情報が表示されている。ただし、接続状況の詳細情報の表示位置はこれに限られない。ネットワーク接続状況の詳細情報としては、例えば回線の種類、ＩＰアドレス、通信速度等が含まれていてもよい。
【００７０】
なお、各コンテンツを区別する表示や、「宅内」または「宅外」の表示や、ネットワークの接続状況の詳細等の番組リストに付帯する情報は、常時、表示されていてもよく、例えばユーザによる指示があったときなどのように所定のタイミングで表示されるようになっていてもよい。
【００７１】
ところで、情報端末１００においては、プログラム５００の機能に基づき、ネットワークの接続状況に応じて表示内容が変化する。
【００７２】
図５（ａ）は、情報端末１００のネットワークへの接続状況が宅内であると判定されたときの番組リストの表示例である。図５（ａ）に示すように、番組リストには、「持出」表示の付与された持ち出し用コンテンツと、配信用コンテンツとの両方が含まれる。このように、プログラム５００は、ネットワークの接続状況が宅内である場合には、テレビジョン装置２００の番組リストから持ち出し用コンテンツ及び配信用コンテンツの両方の情報を取得して、例えば日付の新しい順に両者を混在させて情報端末１００に表示させる。
【００７３】
図５（ｂ）は、情報端末１００のネットワークへの接続状況が宅外であると判定されたときの番組リストの表示例である。図５（ｂ）に示すように、番組リストには、「持出」表示の付与された持ち出し用コンテンツのみが含まれる。ここに、持ち出し済みコンテンツが含まれていてもよい。このように、プログラム５００は、ネットワークの接続状況が宅外である場合には、テレビジョン装置２００の番組リストから持ち出し用コンテンツの情報のみを取得して、例えば日付の新しい順に持ち出し済みコンテンツと混在させて情報端末１００に表示させる。
【００７４】
（情報端末における表示処理例）
次に、図６を用いて、実施形態１の情報端末１００における表示処理の例について説明する。図６は、実施形態１にかかる情報端末１００における番組リストの表示処理の手順の一例を示すフロー図である。
【００７５】
図６に示すように、プログラム５００が起動された状態で、ユーザが情報端末１００を操作して番組リストを表示するよう指示すると、入力制御部５０１は、ユーザによる番組リストの表示の指示を受け付ける（ステップＳ１０１）。
【００７６】
リスト管理部５０５は、例えば記憶部５０７から持ち出し済みコンテンツに関する番組リストを読み出す（ステップＳ１０２）。
【００７７】
ここで、情報端末１００がネットワークに接続されているか否かが判定される（ステップＳ１０３）。かかる判定は、通信制御部５０２等を参照して、例えば判定部５０４が行ってもよい。情報端末１００がネットワークに接続されていなければ（ステップＳ１０３：Ｎｏ）、ステップ１１０の処理へと移行する。情報端末１００がネットワークに接続されていない状態とは、例えば情報端末１００であるスマートフォン等が電波の届かないエリアにある場合や、スマートフォン等の着信モードをオフしている場合、有線でネットワーク接続するノートＰＣに回線が接続されていない場合等である。
【００７８】
情報端末１００がネットワークに接続されていれば（ステップＳ１０３：Ｙｅｓ）、アドレス取得部５０３は、通信制御部５０２からＩＰアドレスを取得する（ステップＳ１０４）。判定部５０４は、アドレス取得部５０３が取得したＩＰアドレスが、「１０．０．」「１７２．１６．」「１９２．１６８．」のいずれかで始まるプライベートＩＰアドレスであるか否かを判定する（ステップＳ１０５）。
【００７９】
ＩＰアドレスがプライベートＩＰアドレスである場合（ステップＳ１０５：Ｙｅｓ）、判定部５０４は、ネットワークの接続状況が宅内からであると判定する（ステップＳ１０６）。リスト管理部５０５は、テレビジョン装置２００の番組リストから持ち出し用コンテンツ及び配信用コンテンツの全コンテンツの情報を取得し、持ち出し済みコンテンツに関する自身の番組リストと統合する（ステップＳ１０７）。
【００８０】
ＩＰアドレスがプライベートＩＰアドレスでない場合（ステップＳ１０５：Ｎｏ）、判定部５０４は、ネットワークの接続状況が宅外からであると判定する（ステップＳ１０８）。リスト管理部５０５は、テレビジョン装置２００の番組リストから持ち出し用コンテンツの情報のみを取得し、持ち出し済みコンテンツに関する自身の番組リストと統合する（ステップＳ１０９）。
【００８１】
表示制御部５０６は、リスト管理部５０５からネットワークの接続状況に応じた番組リストを取得し、それを情報端末１００の表示部１０４に表示させる（ステップＳ１１０）。すなわち、情報端末１００がネットワークに接続されていない場合には、表示制御部５０６は、持ち出し済みコンテンツのみを含む番組リストを表示させる。情報端末１００が宅外から接続していると判定された場合には、表示制御部５０６は、持ち出し済みコンテンツ及び持ち出し用コンテンツを含む番組リストを表示させる。情報端末１００が宅内から接続していると判定された場合には、表示制御部５０６は、全コンテンツを含む番組リストを表示させる。
【００８２】
以上により、実施形態１の情報端末１００における表示処理が終了する。
【００８３】
テレビジョン装置等の録画装置により録画された番組をスマートフォン等の情報端末で視聴する技術が知られている。しかしながら、例えば録画された番組に配信用コンテンツ等の容量の大きいコンテンツが含まれる場合、ユーザが録画された番組の最新情報を得ようとしても番組リストの取得に時間を要してしまう場合があった。取得した番組リストから配信用コンテンツを選択して視聴する場合には、再生処理に更に時間を要してしまう場合があった。
【００８４】
実施形態１の情報端末１００によれば、表示制御部５０６は、ネットワークの接続状況に応じて番組リストの表示内容を変更する。すなわち、通信速度の遅い宅外からの接続であれば、表示制御部５０６は、容量の大きい配信用コンテンツを含まない番組リストを表示部１０４に表示させる。これにより、ネットワークの接続状況が悪く通信速度が遅い場合であっても、番組リストの取得に要する時間を短縮することができる。また、通信速度が遅い場合であっても再生処理に長時間を要することなく視聴できるコンテンツの番組リストを優先して表示させることができる。ユーザは、例えばプログラム５００の起動後、所定の番組をより素早く簡単に視聴することができる。
【００８５】
実施形態１の情報端末１００によれば、表示制御部５０６は、番組リスト内の持ち出し用コンテンツと配信用コンテンツとを区別可能に表示部１０４に表示させる。これにより、番組リストに表示される番組が、持ち出し用コンテンツであるか配信用コンテンツであるかを、ユーザが容易に知ることができる。
【００８６】
（変形例１）
次に、図７及び図８を用いて、実施形態１の変形例１の情報端末および情報端末で実行されるプログラムについて説明する。実施形態１の変形例１の構成は、視聴モードを設定可能な点が上述の実施形態１とは異なる。
【００８７】
変形例１の情報端末において、入力制御部はユーザからの視聴モードの設定を受け付け可能に構成される。つまり、変形例１の入力制御部は視聴モード設定部としての機能を有する。
【００８８】
ユーザは、入力制御部を介して複数の視聴モードからいずれかを選択して設定することができる。図７にその例を示す。
【００８９】
図７は、実施形態１の変形例１にかかる情報端末における番組リストの表示例を示す模式図である。図７の例では、オン／オフの２通りの視聴モードが設定可能に構成される。
【００９０】
図７（ａ）に示すように、視聴モードがオンに設定されている場合、宅外からのネットワーク接続時には、持ち出し用コンテンツ及び持ち出し済みコンテンツのみを含む番組リストが日付の新しい順に表示される。視聴モードがオンに設定されている場合であって、宅内からのネットワーク接続時には、全コンテンツを含む番組リストが日付の新しい順に表示される。
【００９１】
図７（ｂ）に示すように、視聴モードがオフに設定されている場合、宅外からのネットワーク接続時であっても、全コンテンツを含む番組リストが日付の新しい順に表示される。つまり、視聴モードがオフに設定されている場合には、ネットワークの接続状況に関わらず、全コンテンツの情報が取得されて表示される。
【００９２】
ただし、図７の視聴モードをオン／オフにする設定は一例であって、少なくとも２通りの視聴モードが設定可能であればよい。すなわち、一方の視聴モードの時にはネットワークの接続状況に基づき番組リストの表示内容が変更され、他方の視聴モードの時にはネットワークの接続状況によらずに全コンテンツの番組リストが表示されるようになっていればよい。
【００９３】
図８は、実施形態１の変形例１にかかる情報端末における番組リストの表示処理の手順の一例を示すフロー図である。ただし、図８のステップＳ１０１〜Ｓ１０８までの処理は、上述の実施形態１における図６の処理と同様である。
【００９４】
図８に示すように、宅外からの接続と判定すると（ステップＳ１０８）、判定部は更に、視聴モードがオンになっているか否かを判定する（ステップＳ１１８）。
【００９５】
視聴モードがオンになっている場合には（ステップＳ１１８：Ｙｅｓ）、リスト管理部は、テレビジョン装置の番組リストから持ち出し用コンテンツの情報のみを取得する（ステップＳ１１９）。視聴モードがオフになっている場合には（ステップＳ１１８：Ｎｏ）、リスト管理部は、宅内からの接続と判定された場合と同様、テレビジョン装置の番組リストから全コンテンツの情報を取得する（ステップＳ１０７）。
【００９６】
表示制御部は、リスト管理部からの番組リストを表示部に表示させる（ステップＳ１２０）。すなわち、宅内からの接続と判定された場合、及び宅外からの接続であって、視聴モードがオフの場合には、表示制御部は全コンテンツを含む番組リストを表示させる。宅外からの接続であって、視聴モードがオンの場合には、表示制御部は、持ち出し用コンテンツ及び持ち出し済みコンテンツを含む番組リストを表示させる。
【００９７】
変形例１の情報端末によれば、ユーザからの視聴モードの設定を受け付ける。そして、視聴モードがオフの時には、ネットワークの接続状況によらず、表示制御部は、全コンテンツを含む番組リストを表示させる。これにより、ユーザが、番組リストの表示内容に制限を設けたくない場合や、宅外であっても充分に通信速度の速い回線を使用している場合などに、全コンテンツの番組リストを取得することができる。
【００９８】
（変形例２）
次に、図９を用いて、実施形態１の変形例２の情報端末および情報端末で実行されるプログラムについて説明する。実施形態１の変形例２の構成は、視聴中の配信用コンテンツについて持ち出し用コンテンツを生成する設定が可能な点が上述の実施形態１とは異なる。
【００９９】
図９は、実施形態１の変形例２にかかる情報端末における番組再生時の表示例を示す模式図である。ただし、図９はあくまで一例であって、番組再生時の表示例は図９の例に限られない。
【０１００】
図９に示すように、所定の番組が再生されている際には、例えば表示部の上方に番組タイトルが表示される。番組タイトルの下方には、例えばストリーミング配信の進捗状況を示すバー等が表示される。例えば表示部の中央等の見やすい位置には、再生中の番組の画面が表示される。再生画面の下方には、例えば再生、一時停止、巻き戻し等のユーザによる各種操作が可能な操作アイコン等が表示される。例えば表示部の下方には、例えば番組再生の進捗状況を示すバー等が表示される。
【０１０１】
変形例２の情報端末においては更に、再生中の番組が配信用コンテンツである場合、例えば表示部の右下等に「持出作成」等の文字情報が付された操作アイコンが表示される。この操作アイコンを押下すると、ユーザは、再生中の配信用コンテンツから持ち出し用コンテンツを生成する処理を予約することができる。
【０１０２】
より具体的には、入力制御部は、操作アイコンの押下を受け付けると、情報端末の通信制御部を介して、再生中の配信用コンテンツについて、ユーザによる持ち出し用コンテンツの生成指示がなされたことをテレビジョン装置に通知する。つまり、変形例２において、入力制御部は、持ち出し用コンテンツ生成の予約受付部として機能する。
【０１０３】
情報端末からの通知を受けたテレビジョン装置は、対象となる配信用コンテンツについて持ち出し用コンテンツを生成する処理を予約する。予約に従う処理、つまり、配信用コンテンツからの持ち出し用コンテンツの生成処理は、テレビジョン装置のストレージ装置等が使用状態に無いときなどに実施される。
【０１０４】
変形例２の情報端末によれば、例えば宅外等のテレビジョン装置から離れた場所からでも、配信用コンテンツからの持ち出し用コンテンツの生成予約をすることができる。
【０１０５】
（変形例３）
次に、実施形態１の変形例３の情報端末および情報端末で実行されるプログラムについて説明する。実施形態１の変形例３の構成は、各コンテンツの表示に優先順位を付ける点が上述の実施形態１とは異なる。
【０１０６】
上述のように、録画された番組には、例えば持ち出し用コンテンツと配信用コンテンツとがあり、同一の番組について、持ち出し用コンテンツと配信用コンテンツとの両方が存在する場合もあり得る。
【０１０７】
変形例３の情報端末においては、例えば宅内からのネットワーク接続時に全コンテンツを表示させる際、同一の番組について両コンテンツが存在する場合には、配信用コンテンツよりも持ち出し用コンテンツを優先させて表示する。持ち出し用コンテンツの優先表示には、例えば、番組リストのより上位に持ち出し用コンテンツを配置し、より下位に配信用コンテンツを表示する手法等がある。持ち出し済みコンテンツを、持ち出し用コンテンツよりも更に優先させて表示させてもよい。
【０１０８】
変形例３の情報端末によれば、ユーザは、例えばプログラムの起動後に、所定の番組をより素早く簡単に視聴することができる。
【０１０９】
［実施形態２］
以下、図面を参照して、実施形態２について詳細に説明する。実施形態２の構成は、所定の公衆無線ＬＡＮを用いたネットワーク接続についても、宅内と同じ扱いとすることができる点が上述の実施形態１とは異なる。
【０１１０】
（プログラムの機能構成例）
図１０は、実施形態２にかかるプログラム５１０の機能構成の一例を示すブロック図である。図１０に示すように、プログラム５１０は、入力制御部５１１、通信制御部５１２、アドレス取得部５１３、判定部５１４、リスト管理部５１５、表示制御部５１６、記憶部５１７、登録部５１８、及び接続先ネットワーク取得部５１９を備える。
【０１１１】
入力制御部５１１は、情報端末に対するユーザの入力操作を受け付ける。後述するように、入力制御部５１１は公衆回線モード設定部としての機能を有する。また、入力制御部５１１は、ユーザからの所定の公衆無線ＬＡＮの登録を受け付ける。
【０１１２】
通信制御部５１２は、情報端末のネットワーク通信を制御する。
【０１１３】
アドレス取得部５１３は、情報端末がネットワークに接続している際のＩＰアドレスを通信制御部５１２から取得する。
【０１１４】
登録部５１８は、ユーザにより登録された公衆無線ＬＡＮについての公衆回線テーブルを管理する。入力制御部５１１が、ユーザによる公衆無線ＬＡＮの登録指示を受け付けると、登録部５１８は、ユーザから登録指示のあった公衆無線ＬＡＮについての情報を公衆回線テーブルに追加する。公衆無線ＬＡＮについての情報には、例えばサービスセット識別子（ＳＳＩＤ：Ｓｅｒｖｉｃｅ  Ｓｅｔ  Ｉｄｅｎｔｉｆｉｅｒ）、セキュリティ情報、及びユーザによるメモ等がある。
【０１１５】
接続先ネットワーク取得部５１９は、情報端末がネットワークに接続している際、接続先ネットワークのＳＳＩＤを通信制御部５１２から取得する。
【０１１６】
判定部５１４は、アドレス取得部５１３の取得結果から、ＩＰアドレスがプライベートＩＰアドレスであれば宅内からの接続であると判定する。ＩＰアドレスがグローバルＩＰアドレスである場合には、判定部５１４は、例えば接続先ネットワーク取得部５１９の取得結果を更に参照する。判定部５１４は、接続先ネットワーク取得部５１９の取得結果から、ＳＳＩＤがユーザにより登録された公衆無線ＬＡＮのものであれば、宅内からの接続であると判定する。判定部５１４は、ＳＳＩＤが登録された公衆無線ＬＡＮのものでなければ、宅外からの接続であると判定する。
【０１１７】
リスト管理部５１５は各種の番組リストを管理する。
【０１１８】
表示制御部５１６は、例えばリスト管理部５１５からの番組リストを情報端末の表示部に表示させる。
【０１１９】
記憶部５１７には、持ち出し済みコンテンツ、及び持ち出し済みコンテンツの番組リストが格納されている。また、記憶部５１７には、公衆回線テーブルが格納されている。
【０１２０】
実施形態２のプログラム５１０も、インストール可能な形式または実行可能な形式のコンピュータプログラムプロダクトとして提供される。プログラム５１０は、ネットワーク経由で提供または配布されてもよい。プログラム５１０は、ＲＯＭなどに予め組み込まれた状態で提供されてもよい。プログラム５１０は、ウェブアプリケーションとして提供されてもよい。プログラム５１０は、情報端末により、または、テレビジョン装置により実行されてもよい。
【０１２１】
（公衆回線テーブルの例）
次に、図１１を用いて、実施形態２の情報端末が有する公衆回線テーブルの例について説明する。図１１は、実施形態２の情報端末における公衆回線テーブルの表示例を示す模式図である。ただし、図１１はあくまで一例であって、公衆回線テーブルの内容や表示例は図１１の例に限られない。
【０１２２】
図１１に示すように、ユーザは、入力制御部５１１を介して情報端末の表示部に公衆回線テーブルを表示させることができる。公衆回線テーブルは、例えば公衆無線ＬＡＮのＳＳＩＤ、その公衆無線ＬＡＮが保護されているか否かを示すセキュリティ情報、及びユーザによるメモ等、登録された公衆無線ＬＡＮに関する情報を有する。
【０１２３】
ユーザは、例えば公衆回線テーブルの表示画面または登録画面等から所望の公衆無線ＬＡＮについて、ＳＳＩＤ、セキュリティ情報、及びメモ情報等を入力して登録することができる。メモには、例えばその公衆無線ＬＡＮの提供元やアクセスポイントの情報等、ユーザが任意に入力することができる。また、ユーザは、例えば公衆回線テーブルの表示画面等から既に登録された情報の変更や削除等を行うことができる。
【０１２４】
登録部５１８は、ユーザにより入力された公衆無線ＬＡＮについての各種情報を公衆回線テーブルに追加する。また、登録部５１８は、ユーザによる情報の変更や削除の指示に従い、公衆回線テーブルを更新する。
【０１２５】
（番組リストの表示例）
図１２は、実施形態２にかかる情報端末における番組リストの表示例を示す模式図である。ただし、図１２はあくまで一例であって、番組リストの表示例は図１２の例に限られない。
【０１２６】
図１２に示すように、実施形態２にかかる情報端末は、ユーザにより公衆回線モードの設定が可能なように構成されている。ユーザは、入力制御部５１１を介して複数の公衆回線モードからいずれかを選択して設定することができる。つまり、入力制御部５１１は、公衆回線モード設定部として機能する。図１２の例では、オン／オン（登録）／オフの３通りの公衆回線モードが設定可能である。
【０１２７】
グローバルＩＰアドレスを用いたネットワーク接続時、公衆回線モードがオンの場合には、判定部５１４は宅内からの接続であると判定する。この場合、リスト管理部５１５は全コンテンツを含む番組リストを生成し、表示制御部５１６はその番組リストを表示させる。
【０１２８】
グローバルＩＰアドレスを用いたネットワーク接続時、公衆回線モードがオフの場合には、判定部５１４は宅外からの接続であると判定する。この場合、リスト管理部５１５は配信用コンテンツを含まない番組リストを生成し、表示制御部５１６はその番組リストを表示させる。
【０１２９】
グローバルＩＰアドレスを用いたネットワーク接続時、公衆回線モードがオン（登録）の場合には、判定部５１４は接続先ネットワーク取得部５１９が取得したＳＳＩＤに基づき、宅内からの接続であるか宅外からの接続であるかを判定する。
【０１３０】
図１２（ａ）に示すように、接続先ネットワーク取得部５１９が取得したＳＳＩＤから、登録された公衆無線ＬＡＮが接続先である場合には、判定部５１４は宅内からの接続であると判定する。そして、リスト管理部５１５は全コンテンツを含む番組リストを生成し、表示制御部５１６はその番組リストを表示させる。
【０１３１】
図１２（ｂ）に示すように、接続先ネットワーク取得部５１９が取得したＳＳＩＤから、未登録の公衆無線ＬＡＮが接続先である場合には、判定部５１４は宅外からの接続であると判定する。そして、リスト管理部５１５は配信用コンテンツを含まない番組リストを生成し、表示制御部５１６はその番組リストを表示させる。
【０１３２】
ただし、図１２の公衆回線モードをオン／オン（登録）／オフにする設定は一例であって、少なくとも３通りの公衆回線モードが設定可能であればよい。すなわち、グローバルＩＰアドレスを用いたネットワーク接続において、或る公衆回線モードの時には接続先ネットワークの種類によらずに全コンテンツの番組リストが表示され、他の公衆回線モードの時には接続先ネットワークの種類によらずに配信用コンテンツを除く番組リストが表示され、更に他の公衆回線モードの時には接続先ネットワークの種類に基づき番組リストの表示内容が変更されるようになっていればよい。
【０１３３】
（情報端末における表示処理例）
次に、図１３を用いて、実施形態２の情報端末における表示処理の例について説明する。図１３は、実施形態２にかかる情報端末における番組リストの表示処理の手順の一例を示すフロー図である。
【０１３４】
図１３に示すように、入力制御部５１１は、ユーザによる番組リストの表示の指示を受け付ける（ステップＳ２０１）。リスト管理部５１５は、持ち出し済みコンテンツに関する番組リストを読み出す（ステップＳ２０２）。情報端末がネットワークに接続されていなければ（ステップＳ２０３：Ｎｏ）、ステップ２１３の処理へと移行する。情報端末がネットワークに接続されていれば（ステップＳ２０３：Ｙｅｓ）、アドレス取得部５１３はＩＰアドレスを取得する（ステップＳ２０４）。ＩＰアドレスがプライベートＩＰアドレスである場合（ステップＳ２０５：Ｙｅｓ）、判定部５１４は宅内からの接続であると判定する（ステップＳ２０６）。リスト管理部５１５は、テレビジョン装置の番組リストから全コンテンツの情報を取得し、自身の番組リストと統合する（ステップＳ２０７）。
【０１３５】
以上のように、図１３のステップＳ２０１〜Ｓ２０７までの処理は、上述の実施形態１における図６のステップＳ１０１〜Ｓ１０７の処理と同様である。
【０１３６】
ＩＰアドレスがプライベートＩＰアドレスでない場合（ステップＳ２０５：Ｎｏ）、判定部５１４は、公衆回線モードがオン／オン（登録）／オフのいずれに設定されているかを判定する（ステップＳ２０８）。公衆回線モードがオンに設定されている場合（ステップＳ２０８：ＯＮ）、判定部５１４は宅内からの接続であると判定する（ステップＳ２０６）。公衆回線モードがオフに設定されている場合（ステップＳ２０８：ＯＦＦ）、判定部は宅外からの接続であると判定する（ステップＳ２１１）。
【０１３７】
公衆回線モードがオン（登録）に設定されている場合（ステップＳ２０８：ＯＮ（登録））、接続先ネットワーク取得部５１９は、通信制御部５１２から接続先ネットワークのＳＳＩＤを取得する（ステップＳ２０９）。
【０１３８】
判定部５１４は、接続先ネットワーク取得部５１９が取得したＳＳＩＤから、接続先のネットワークが登録された公衆無線ＬＡＮであるか否かを判定する（ステップＳ２１０）。接続先のネットワークが登録された公衆無線ＬＡＮである場合には（ステップＳ２１０：Ｙｅｓ）、判定部５１４は宅内からの接続であると判定する（ステップＳ２０６）。接続先のネットワークが登録された公衆無線ＬＡＮでない場合には（ステップＳ２１０：Ｎｏ）、判定部５１４は宅外からの接続であると判定する（ステップＳ２１１）。
【０１３９】
ネットワークの接続状況が宅内からの接続であると判定された場合には（ステップＳ２０６）、リスト管理部５１５は、テレビジョン装置が有する番組リストから全コンテンツに関する情報を取得し、自身が有する持ち出し済みコンテンツの番組リストと統合する（ステップＳ２０７）。
【０１４０】
ネットワークの接続状況が宅外からの接続であると判定された場合には（ステップＳ２１１）、リスト管理部５１５は、テレビジョン装置が有する番組リストから持ち出し用コンテンツに関する情報のみを取得し、自身が有する持ち出し済みコンテンツの番組リストと統合する（ステップＳ２１２）。
【０１４１】
表示制御部５１６は、リスト管理部５１５からの番組リストを情報端末の表示部に表示させる（ステップＳ２１３）。すなわち、情報端末がネットワークに接続されていない場合には、表示制御部５１６は、持ち出し済みコンテンツのみを含む番組リストを表示させる。情報端末が宅外からネットワーク接続している場合には、表示制御部５１６は、配信用コンテンツを含まない番組リストを表示させる。情報端末が宅内からネットワーク接続している場合には、表示制御部５１６は、全コンテンツを含む番組リストを表示させる。
【０１４２】
実施形態２の情報端末１００によれば、判定部５１４は、例えば登録された公衆無線ＬＡＮを介した接続であれば宅内からの接続であると判定する。これにより、ユーザは、公衆無線ＬＡＮからの接続であっても、例えばその公衆無線ＬＡＮの通信速度等が充分に速い場合等には、宅内と同じ番組リストを取得して所望の番組を視聴することができる。
【０１４３】
実施形態２の情報端末１００によれば、判定部５１４は、公衆回線モードに基づいてネットワークの接続状況が宅内外のいずれであるかを判定する。これにより、ユーザは、時々の接続環境等に応じて、より細かなサービスの提供を受けることができ、ユーザに対するサービス形態の選択肢も増える。
【０１４４】
本発明の実施形態について説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４５】
１００…情報端末、１０４…表示部、２００…テレビジョン装置、２００ａ…ストレージ装置、３０１…インターネット、３０２ａ…公衆無線ＬＡＮ、３０２ｂ…キャリア提供無線ＬＡＮ、４００…中継装置、５００，５１０…プログラム、５０１，５１１…入力制御部、５０２，５１２…通信制御部、５０３，５１３…アドレス取得部、５０４，５１４…判定部、５０５，５１５…リスト管理部、５０６，５１６…表示制御部、５０７，５１７…記憶部、５１８…登録部、５１９…接続先ネットワーク取得部。
【図１】
2020198566.tif 000003
【図２】
2020198566.tif 000004
【図３】
2020198566.tif 000005
【図４】
2020198566.tif 000006
【図５】
2020198566.tif 000007
【図６】
2020198566.tif 000008
【図７】
2020198566.tif 000009
【図８】
2020198566.tif 000010
【図９】
2020198566.tif 000011
【図１０】
2020198566.tif 000012
【図１１】
2020198566.tif 000013
【図１２】
2020198566.tif 000014
【図１３】
2020198566.tif 000015